(57)【要約】【課題】センサからの信号に対してノイズ成分を除去するための補正を行うのに有利な技術を提供する。【解決手段】複数の行および複数の列を形成するように配列された複数のセンサと、前記センサを行単位で駆動する駆動部と、補正部とを備え、前記駆動部は、放射線の第１の照射に応じて、前記複数の行を第１の順番で選択しながら前記センサを駆動し、前記第１の照射の次の第２の照射に応じて、前記複数の行を第２の順番で選択しながら前記センサを駆動し、各行のセンサと、その隣の行のセンサとは、前記第１の順番で駆動されてから前記第２の順番で駆動されるまでの時間が互いに異なっており、前記補正部は、前記第２の順番で駆動された前記複数のセンサからの信号のうち、前記複数の行の１つの行である第１行のセンサからの信号と、前記第１行に隣接する第２行のセンサからの信号と、前記第１行と前記第２行との間での前記時間の差とに基づいて、前記第１行および前記第２行の少なくとも一方のセンサから前記第２の順番で駆動された信号を補正する。【選択図】図４
2015216424.tif 000002
【特許請求の範囲】
【請求項１】
複数の行および複数の列を形成するように配列された複数のセンサと、前記複数のセンサを行単位で駆動する駆動部とを備える放射線撮像装置であって、
前記駆動部は、
放射線の第１の照射に応じて、前記複数の行を第１の順番で選択しながら、前記複数のセンサが前記第１の照射に応じた信号を出力するように前記複数のセンサを駆動し、
前記第１の照射の次の第２の照射に応じて、前記複数の行を前記第１の順番とは異なる第２の順番で選択しながら、前記複数のセンサが前記第２の照射に応じた信号を出力するように前記複数のセンサを駆動し、
各行のセンサと、その隣の行のセンサとは、前記第１の順番で駆動されてから前記第２の順番で駆動されるまでの時間が互いに異なっており、
前記放射線撮像装置は、前記第２の順番で駆動された前記複数のセンサからの信号のうち、前記複数の行の１つの行である第１行のセンサからの信号と、前記第１行に隣接する第２行のセンサからの信号と、前記第１行と前記第２行との間での前記時間の差とに基づいて、前記第１行および前記第２行の少なくとも一方のセンサから前記第２の順番で駆動された信号を補正する補正部をさらに備える
ことを特徴とする放射線撮像装置。
【請求項２】
前記複数のセンサを２以上のグループに行単位で分割する分割部をさらに備え、
前記分割部は、互いに隣接する２つの行が互いに異なるグループになるように前記複数のセンサを分割し、
前記駆動部は、前記第１の順番での駆動と前記第２の順番での駆動とを、グループ単位で行う
ことを特徴とする請求項１に記載の放射線撮像装置。
【請求項３】
前記分割部により分割されるグループの数は２であり、
前記駆動部は、前記第１の順番での駆動と前記第２の順番での駆動とをインタレース方式で行う
ことを特徴とする請求項２に記載の放射線撮像装置。
【請求項４】
前記複数のセンサを２以上のグループに行単位で分割する分割部をさらに備え、
前記分割部は、互いに隣接する２つの行が互いに異なるグループになるように前記複数のセンサを分割し、
前記駆動部は、前記第１の順番での駆動および前記第２の順番での駆動のうちの一方を、前記分割部によって前記複数のセンサを２以上のグループに分割してグループ単位で行う
ことを特徴とする請求項１に記載の放射線撮像装置。
【請求項５】
前記第１行のセンサからの信号と、前記第２行のセンサからの信号と、前記第１行と前記第２行との間での前記時間の差とに基づいて、前記少なくとも一方のセンサからの信号を補正するための補正情報を算出する算出部をさらに備え、
前記補正部は、前記算出部により算出された前記補正情報に基づいて、前記少なくとも一方のセンサからの信号を補正する
ことを特徴とする請求項１乃至４のいずれか１項に記載の放射線撮像装置。
【請求項６】
前記算出部は、前記第１行のセンサからの信号と前記第２行のセンサからの信号との信号値の差と、前記第１行と前記第２行との間での前記時間の差とに基づいて、前記補正情報を算出する
ことを特徴とする請求項５に記載の放射線撮像装置。
【請求項７】
前記複数のセンサは、２以上の領域に分割されており、
前記算出部は、領域ごとに前記補正情報を算出する
ことを特徴とする請求項５または請求項６に記載の放射線撮像装置。
【請求項８】
前記複数のセンサは、少なくとも２行ごと、少なくとも２列ごと、少なくとも２行および少なくとも２列で形成される単位領域ごと、のいずれかで２以上の領域に分割されている
ことを特徴とする請求項７に記載の放射線撮像装置。
【請求項９】
前記補正情報が所定の条件を満たすかどうかを判定する判定部をさらに備え、
前記補正部は、前記判定部により前記補正情報が所定の条件を満たさないと判定された場合には前記補正を行わない
ことを特徴とする請求項５乃至８のいずれか１項に記載の放射線撮像装置。
【請求項１０】
前記駆動部は、前記第１の照射及び前記第２の照射の前または後に、放射線が照射されていない状態で前記複数のセンサで生じた電荷に応じた信号を出力するように前記複数のセンサをさらに駆動し、
前記補正部は、
該放射線が照射されていない状態で前記複数のセンサから出力された信号を用いて、前記第２の順番で駆動された前記複数のセンサからの信号を補正し、
該補正された信号のうちの前記第１行のセンサからの信号および前記第２行のセンサからの信号と、前記第１行と前記第２行との間での前記時間の差とを用いて、該補正された信号のうちの前記少なくとも一方のセンサからの信号をさらに補正する
ことを特徴とする請求項５乃至９のいずれか１項に記載の放射線撮像装置。
【請求項１１】
前記第２の順番で駆動された前記複数のセンサからの信号は、前記複数のセンサが前記時間に応じた量のノイズ成分を含んでいる
ことを特徴とする請求項１乃至１０のいずれか１項に記載の放射線撮像装置。
【請求項１２】
各行のセンサについて前記時間を計測する計測部をさらに備える
ことを特徴とする請求項１乃至１１のいずれか１項に記載の放射線撮像装置。
【請求項１３】
放射線を発生する放射線発生源をさらに備える
ことを特徴とする請求項１乃至１２のいずれか１項に記載の放射線撮像装置。
【請求項１４】
複数の行および複数の列を形成するように配列された複数のセンサと、前記複数のセンサを行単位で駆動する駆動部と、を備える放射線撮像装置の制御方法であって、
前記放射線撮像装置の制御方法は、
放射線の第１の照射に応じて、前記複数の行を第１の順番で選択しながら、前記複数のセンサが前記第１の照射に応じた信号を出力するように前記複数のセンサを駆動する第１工程と、
前記第１の照射の次の第２の照射に応じて、前記複数の行を前記第１の順番とは異なる第２の順番で選択しながら、前記複数のセンサが前記第２の照射に応じた信号を出力するように前記複数のセンサを駆動する第２工程と、
を有し、
各行のセンサと、その隣の行のセンサとは、前記第１の順番で駆動されてから前記第２の順番で駆動されるまでの時間が互いに異なっている
ことを特徴とする放射線撮像装置の制御方法。
【請求項１５】
コンピュータに、請求項１４に記載の制御方法の各工程を実行させるためのプログラム。
【発明の詳細な説明】
【技術分野】
【０００１】
本発明は、放射線撮像装置及びその制御方法に関する。
【背景技術】
【０００２】
放射線撮像装置（以下、「装置」）は、例えば、基板上に配列された複数のセンサと、各センサを行単位で駆動する駆動部と、各列の各センサから信号を読み出す読出部と、を備える。センサは、装置に照射された放射線を検知する。駆動部はセンサを駆動し、読出部は、該センサから放射線量に応じた値の信号を読み出す。動画撮影や連続撮影等の撮影モードでは、センサからの信号読出が繰り返し為される。
【先行技術文献】
【特許文献】
【０００３】
【特許文献１】特開２００３−１９０１２６号公報
【特許文献２】特開平７−２５０２８３号公報
【発明の概要】
【発明が解決しようとする課題】
【０００４】
センサから読み出された信号は、放射線量に応じた信号成分と、ノイズ成分とを含みうる。そのため、センサからの信号に対して、ノイズ成分を除去するための補正を行うとよい。
【０００５】
ここで、ノイズ成分は、動画撮影や連続撮影等の撮影モードでは、暗電流によってセンサに蓄積された電荷に起因するノイズ成分等、ある信号読出から次の信号読出までの時間に依存するノイズ成分を含む。
【０００６】
本発明の目的は、センサからの信号に対してノイズ成分を除去するための補正を行うのに有利な技術を提供することにある。
【課題を解決するための手段】
【０００７】
本発明の一つの側面は放射線撮像装置にかかり、前記放射線撮像装置は、複数の行および複数の列を形成するように配列された複数のセンサと、前記複数のセンサを行単位で駆動する駆動部とを備える放射線撮像装置であって、前記駆動部は、放射線の第１の照射に応じて、前記複数の行を第１の順番で選択しながら、前記複数のセンサが前記第１の照射に応じた信号を出力するように前記複数のセンサを駆動し、前記第１の照射の次の第２の照射に応じて、前記複数の行を前記第１の順番とは異なる第２の順番で選択しながら、前記複数のセンサが前記第２の照射に応じた信号を出力するように前記複数のセンサを駆動し、各行のセンサと、その隣の行のセンサとは、前記第１の順番で駆動されてから前記第２の順番で駆動されるまでの時間が互いに異なっており、前記放射線撮像装置は、前記第２の順番で駆動された前記複数のセンサからの信号のうち、前記複数の行の１つの行である第１行のセンサからの信号と、前記第１行に隣接する第２行のセンサからの信号と、前記第１行と前記第２行との間での前記時間の差とに基づいて、前記第１行および前記第２行の少なくとも一方のセンサから前記第２の順番で駆動された信号を補正する補正部をさらに備えることを特徴とする。
【発明の効果】
【０００８】
本発明によれば、センサからの信号に対してノイズ成分を除去するための補正を行うのに有利である。
【図面の簡単な説明】
【０００９】
【図１】放射線撮像装置のシステム構成例の例を説明する図である。
【図２】撮像部の構成の例を説明する図である。
【図３】放射線撮像装置の動作フローチャートの例を説明する図である。
【図４】放射線撮像装置の動作タイミングチャートの例を説明する図である。
【図５】放射線撮像装置の動作タイミングチャートの例を説明する図である。
【図６】信号値の差とノイズ成分との関係を説明する図である。
【図７】放射線撮像装置の動作タイミングチャートの例を説明する図である。
【図８】放射線撮像装置の動作タイミングチャートの例を説明する図である。
【図９】信号値のプロット図の例を説明する図である。
【発明を実施するための形態】
【００１０】
（１．        第１実施形態）
（１−１．  放射線撮像装置の全体構成例）
図１は、放射線撮像装置ないし放射線検査装置の全体構成例を示すブロック図である。ここでは、放射線撮像装置ＩＡ（以下、単に「装置ＩＡ」と称する。）として、その全体構成例を述べる。装置ＩＡは、例えば、撮像部１０と、駆動部２０と、放射線発生源３０と、制御部４０と、処理部５０と、表示部６０とを備える。
【００１１】
撮像部１０は、例えば、放射線を検知するための複数のセンサが配列されたセンサアレイを有する。撮像部１０は、放射線を光に変換するシンチレータ（不図示）をさらに有していてもよく、この場合、各センサには、変換された光を検知する光電変換素子が用いられうる。撮像部１０は、このような構成により、被検者（患者等）の体を通過した放射線を検出して、該被検者の体内の情報を示す画像データを取得する。
【００１２】
なお、撮像部１０は、上述のように、放射線を光に変換してから該光を電気信号に変換する、いわゆる間接変換型の構成を採ってもよいが、放射線を電気信号に（直接）変換する、いわゆる直接変換型の構成を採ってもよい。
【００１３】
駆動部２０は、所定の駆動信号ないし制御信号に基づいて撮像部１０を駆動し、放射線撮影を行うための駆動制御を行う。放射線発生源３０は、所定の制御信号に基づいて放射線を発生し、撮像部１０に対して放射線を照射する。なお、放射線は、Ｘ線、α線、β線、γ線等を含む。制御部４０は、駆動部２０や放射線発生源３０に制御信号を出力して駆動部２０や放射線発生源３０の動作を制御する他、各ユニットの同期制御を行うことが可能であり、装置ＩＡの全体を制御する。
【００１４】
装置ＩＡは、例えば、放射線の照射が開始されたことを撮像部１０で検知するように構成されうる。例えば、撮像部１０は、複数のセンサのうちの少なくとも一部のセンサ、又は、他のセンサを用いて、放射線の照射が開始されたことを検知するように構成されうる。より具体的には、例えば、放射線の照射前に各センサを駆動して該センサからの信号に基づいて放射線の照射が開始されたことを検知してもよいし、専用のセンサを個別に設けて該センサからの信号に基づいて放射線の照射が開始されたことを検知してもよい。このような構成によると、撮像部１０と他のユニットとの間での同期制御を、例えば制御部４０等によって自動で行うことが可能である。
【００１５】
処理部５０は、撮像部１０から画像データを受けて所定のデータ処理を行う他、例えば補正部５１と算出部５２とを有しており、該画像データに対して補正処理を行う。算出部５２は、画像データに基づいて補正情報を算出し、補正部５１は、該算出された補正情報を用いて画像データを補正する。表示部６０は、処理部５０から画像データを受けて被検者の体内の状態を示す画像（放射線画像）を表示する。
【００１６】
なお、装置ＩＡは、上述の構成に限られるものではなく、例えば、あるユニットの一部の機能を他のユニットが有するように構成されてもよいし、２以上のユニットが一体に構成されてもよい。例えば、撮像部１０が制御部４０や処理部５０を有するように構成されてもよいし、制御部４０と処理部５０とが一体に構成されてもよい。また、各ユニット間の信号の授受は、有線で為されてもよいし、無線で為されてもよい。
【００１７】
（１−２．  撮像部の構成例）
図２は、撮像部１０の構成例を示している。撮像部１０は、例えば、複数のセンサｓが配列されたセンサアレイ１１０と、センサ駆動部１２０と、信号読出部１３０と、信号出力部１４０とを有する。なお、ここでは図を見やすくするため、３行×３列のセンサアレイ１１０を例示している。
【００１８】
センサ駆動部１２０は、例えば駆動部２０からの信号に基づいて各センサｓを行単位で駆動して、各センサｓが放射線を検知したことにより生じた電荷の量に応じた信号を出力させる。センサ駆動部１２０は、例えばシフトレジスタを含み、例えばクロック信号に基づいて駆動対象の行を順に選択する。
【００１９】
複数のセンサｓは、例えば、ＰＩＮ型フォトダイオードやＭＩＳ型フォトダイオードを含み、例えば、ガラス基板上にアモルファスシリコンを用いて形成される。各センサｓは、該センサｓで生じた電荷の量に応じた信号を出力するためのスイッチ素子ｗに接続されており、該信号は、スイッチ素子ｗを駆動することによって、対応する列の列信号線１５０に出力される。スイッチ素子ｗには、例えば、薄膜トランジスタ（ＴＦＴ）が用いられうる。
【００２０】
ここでは、１つのセンサｓと、それに対応するスイッチ素子ｗとが、単位画素を形成しており、１つのセンサｓの信号ないしそれに基づく１つの信号は「画素信号」とも称され、その値は「画素値」とも称されうる。
【００２１】
信号読出部１３０は、例えば、各列のセンサｓからの信号を増幅する信号増幅部１３１と、該増幅された信号をサンプリングして保持する保持部１３２とを有し、例えば、シフトレジスタＳＲからの制御信号に基づいて該保持された信号が順に読み出される。シフトレジスタＳＲは、例えば駆動部２０からの信号に基づいて、信号読出部１３０に、保持部１３２に保持された信号を読み出すための制御信号を供給する。このような構成により、信号読出部１３０は、各列のセンサｓからの信号を、列信号線１５０を介して順に読み出して信号出力部１４０に水平転送する。
【００２２】
信号出力部１４０は、例えば、出力バッファアンプ１４１とＡＤ変換部１４２とを有する。このような構成により、信号出力部１４０は、信号読出部１３０により読み出された信号を、画像データ（デジタルデータ）として、順に前述の処理部５０に出力する。
【００２３】
（１−３．  放射線撮影のフローチャート）
図３は、動画撮影モードや連続撮影モード等の放射線撮影を行うためのフローチャートを示している。このような放射線撮影は、複数回の放射線が照射されることによって為され、本フローチャートでは、放射線撮影の開始に応じて、主に、以下に述べるステップＳ００１〜Ｓ００３の工程が為される。以下、本明細書では、ステップＳ００１等を単に「Ｓ００１」等と示す。
【００２４】
Ｓ００１では、ある１回の放射線の照射に応じて、各センサｓで電荷を蓄積する蓄積動作ＡＯを開始する。蓄積動作ＡＯでは、各センサｓに対応するスイッチ素子ｗは非導通状態に維持されており、各センサｓには、照射された放射線量に応じた量の電荷が蓄積される。蓄積動作ＡＯは、例えば、ある１回の放射線の照射が終了してから所定期間が経過するまでの間、為されうる。
【００２５】
Ｓ００２では、上記蓄積動作ＡＯの終了に応じて、各センサｓから信号を読み出す読出動作ＲＯを行う。読出動作ＲＯは、対応するスイッチ素子ｗを行単位で導通状態にすることによって為される。これによって、各センサｓから、蓄積動作ＡＯで蓄積された電荷の量にしたがう値の信号が読み出される。
【００２６】
Ｓ００３では、撮影が終了か否か、具体的には、次の放射線の照射があるかないかの判断を行う。次の放射線の照射がある場合にはＳ００１に戻り、次の放射線の照射がない場合には撮影を終了する。なお、この工程の判断は、ユーザにより予め設定された撮影情報や放射線の照射回数等に基づいて為されうる。また、ある放射線の照射が終了してから所定時間が経過しても次の放射線の照射が開始されない場合には、撮影を終了してもよい。
【００２７】
本フローチャートによると、動画撮影や連続撮影を行うための放射線が複数回照射され、各回の放射線の照射に応じて蓄積動作ＡＯ（Ｓ００１）および読出動作ＲＯ（Ｓ００２）の一連の動作が為される。そして、この一連の動作によって、複数のセンサｓから１回分の放射線の照射による信号が得られる。本明細書において、この一連の動作によって得られるセンサｓからの信号を１フレーム分の信号とし、該１フレーム分の信号に基づいて１つの画像データが形成される。
【００２８】
また、複数回の放射線の照射が開始される前には、各センサｓを初期化（リセット）するリセット動作が繰り返し為されうる。再び図２を参照すると、リセット動作は、センサ駆動部１２０がスイッチ素子ｗを行単位で導通状態にすることによって為されるという点では、センサｓの駆動方法は読出動作ＲＯと同様である。リセット動作では、例えば、列信号線１５０を不図示のスイッチによって基準電位に接続しながらスイッチ素子ｗを導通状態にする。或いは、リセット動作では、例えば、信号増幅部１３０（のフィードバック容量）を初期化しながらスイッチ素子ｗを導通状態にする。このようにして、放射線の照射前に、暗電流等のノイズに起因して各センサｓで生じた電荷は、列信号線１５０を介して基準電位に放出される。また、該放出された電荷、又は、それに応じて生じた電流をモニタすることによって、放射線の照射が開始されたことを、該リセット動作の間に検知することも可能である。
【００２９】
（１−４．  撮像部の駆動方法の例）
図４は、本実施形態に係る、Ｘ行×Ｙ列のセンサアレイ１１０を有する撮像部１０の駆動タイミングチャートを示している。横軸は時間軸である。縦軸は、各センサｓを駆動するための信号Ｖｇ（１）〜Ｖｇ（Ｘ）である。例えば、ｉ＝１〜Ｘの整数として、Ｖｇ（ｉ）は、第ｉ行の各センサｓを駆動するための信号であり、本構成では、対応するスイッチ素子ｗの導通状態または非導通状態を制御する信号である。第ｉ行の各スイッチ素子ｗは、Ｖｇ（ｉ）がハイレベル（Ｈ）のときに導通状態になり、ローレベル（Ｌ）のときに非導通状態になる。
【００３０】
図中には、主に、ある１フレーム分の信号が得られる期間Ｔ１と、その次の１フレーム分の信号が得られる期間Ｔ２と、について示されている。各期間Ｔ１及びＴ２では、１回分の放射線が照射されたことに応じて蓄積動作ＡＯが為され、その後、読出動作ＲＯが為される。本実施形態では、読出動作ＲＯはインタレース方式で為される。
【００３１】
具体的には、まず、奇数行および偶数行の一方のセンサｓが駆動され、その後、奇数行および偶数行の他方のセンサｓが駆動される。図中において、奇数行（第１行、第３行、第５行、・・・、第（Ｘ−１）行）を順に選択しながらセンサｓを駆動する動作を「ＨＩＯ」と示している。また、偶数行（第２行、第４行、第６行、・・・、第Ｘ行）を順に選択しながらセンサｓを駆動する動作を「ＨＩＥ」と示している。
【００３２】
即ち、読出動作ＲＯは、奇数行のセンサｓから信号を読み出す動作ＨＩＯと、偶数行のセンサｓから信号を読み出す動作ＨＩＥと、を含む。図中の期間Ｔ１では、蓄積動作ＡＯを行った後、動作ＨＩＯを行ってから動作ＨＩＥを行うことによって読出動作ＲＯが為され、期間Ｔ２では、蓄積動作ＡＯを行った後、動作ＨＩＥを行ってから動作ＨＩＯを行うことによって読出動作ＲＯが為されている。
【００３３】
ここで、ある行のセンサｓにおいて、期間Ｔ１での読出動作ＲＯから期間Ｔ２での読出動作ＲＯまでの時間を「時間ｔｅｆｆ」とする。即ち、ある１行についての時間ｔｅｆｆは、期間Ｔ１で１フレーム分の信号を読み出すための該１行についての駆動が為されてから、期間Ｔ２で次の１フレーム分の信号を読み出すための該１行についての駆動が為されるまでの時間である。この時間ｔｅｆｆにセンサｓに蓄積される電荷は、照射された放射線によって生じた電荷の他、期間Ｔ１以前から残存する電荷や暗電流等のノイズに起因する電荷等を含む。
【００３４】
ここで、第ｋ行目の時間ｔｅｆｆを「ｔｅｆｆ（ｋ）」とし、第（ｋ＋１）行目の時間ｔｅｆｆを「ｔｅｆｆ（ｋ＋１）」とし、蓄積動作ＡＯに要する時間を「ｔＡＯ」とし、読出動作ＲＯに要する時間を「ｔＲＯ」とする。このとき、
ｔｅｆｆ（ｋ）＝３／２×ｔＲＯ＋ｔＡＯ、
ｔｅｆｆ（ｋ＋１）＝１／２×ｔＲＯ＋ｔＡＯ
・・・（式１）
と表せる。即ち、本実施形態の駆動方法によると、第ｋ行目と第（ｋ＋１）行目とでは、時間ｔｅｆｆに差が生じる。なお、ここでは、第ｋ行が奇数行の場合を例示したが、第ｋ行が偶数行の場合でも同様のことが言える。
【００３５】
（１−５．  画像データの補正方法の例）
本実施形態では、上述の時間ｔｅｆｆの差に基づいて、センサｓからの信号を補正するための補正情報を算出する。
【００３６】
ここで、放射線によりセンサｓで生じた電荷の量に基づく信号成分をＳ０とする。また、期間Ｔ１以前から残存する電荷によるノイズ成分や暗電流等に起因するノイズ成分等、時間依存性を有するノイズ成分をＮ１とする。また、センサ構成や素子ばらつき等に起因する固定パターンノイズ（ＦＰＮ）等、時間依存性を有しないノイズ成分をＮ２とする。
【００３７】
このとき、センサｓからの信号ＳＳは、
ＳＳ＝Ｓ０＋Ｎ１＋Ｎ２
・・・（式２）
と表せる。
【００３８】
ここでは、ノイズ成分Ｎ１の原因となる例の１つとして、上述の期間Ｔ１以前から残存する電荷に起因するノイズ成分について考える。該残存する電荷は、例えば、センサｓ中の格子欠陥やダングリングボンド等に電荷がトラップされることによって生じうる。該残存する電荷は、十分に長い時間が経過することによって消滅しうるが、本実施形態に例示される動画撮影や連続撮影では、比較的短い時間で信号読出ＲＯが繰り返し為されるため、期間Ｔ２で得られた画像に残像をもたらす原因となる。
【００３９】
該残存する電荷に起因するノイズは、所定のノイズモデルで与えられ、１つの典型的な例として、
α（ｔ）＝ａ（定数）
・・・（式３）
で与えられる。この場合、該残存する電荷に起因するノイズ成分Ｎ１は、時間ｔを用いて、
Ｎ１＝∫α（ｔ）ｄｔ
・・・（式４）
と表せる。ここで、
ｔｓ：期間Ｔ１で読出動作ＲＯが為された時間、
ｔｅ：期間Ｔ２で読出動作ＲＯが為された時間
とすると、
Ｎ１＝ａ×（ｔｅ−ｔｓ）
・・・（式５）
と表せる。
【００４０】
ここで、定数ａは、センサｓごと（画素ごと）に異なる値を取りうるが、隣接センサ間では定数ａが互いに略等しいことが、本願発明者により見出された。また、隣接センサ間ではノイズ成分Ｎ２が互いに略等しい。また、信号成分の変化の小さい領域（例えば、画像において輪郭を形成する部分以外の領域）では、隣接センサ間では信号成分Ｓ０が互いに略等しい。
【００４１】
例えば、第ｍ行かつ第ｎ列のセンサｓ（ｍ，ｎ）からの信号を信号ＳＳ（ｍ，ｎ）とし、第（ｍ＋１）行かつ第ｎ列のセンサｓ（ｍ＋１，ｎ）からの信号を信号ＳＳ（ｍ＋１，ｎ）とする。また、各センサｓに対応する成分Ｓ０、Ｎ１等をＳ０（ｍ，ｎ）、Ｎ１（ｍ，ｎ）等とする。このとき、式（２）〜（５）より、
ＳＳ（ｍ，ｎ）
＝Ｓ０（ｍ，ｎ）＋Ｎ１（ｍ，ｎ）＋Ｎ２（ｍ，ｎ）
＝ａ（ｍ，ｎ）×｛ｔｅ（ｍ）−ｔｓ（ｍ）｝＋Ｓ０（ｍ，ｎ）＋Ｎ２（ｍ，ｎ）、
ＳＳ（ｍ＋１，ｎ）
＝Ｓ０（ｍ＋１，ｎ）＋Ｎ１（ｍ＋１，ｎ）＋Ｎ２（ｍ＋１，ｎ）
＝ａ（ｍ＋１，ｎ）×｛ｔｅ（ｍ＋１）−ｔｓ（ｍ＋１）｝＋Ｓ０（ｍ＋１，ｎ）＋Ｎ２（ｍ＋１，ｎ）、
ａ（ｍ，ｎ）≒ａ（ｍ＋１，ｎ）、
Ｓ０（ｍ，ｎ）≒Ｓ０（ｍ＋１，ｎ）、
Ｎ２（ｍ，ｎ）≒Ｎ２（ｍ＋１，ｎ）、
・・・（式６）
と表せる。
【００４２】
上記（式６）によると、信号ＳＳ（ｍ，ｎ）と信号ＳＳ（ｍ＋１，ｎ）との差は、
ＳＳ（ｍ，ｎ）−ＳＳ（ｍ＋１，ｎ）
＝ａ（ｍ，ｎ）×［｛ｔｅ（ｍ）−ｔｓ（ｍ）｝−｛ｔｅ（ｍ＋１）−ｔｓ（ｍ＋１）｝］
・・・（式７）
と表せる。よって、
ａ（ｍ，ｎ）
＝｛ＳＳ（ｍ，ｎ）−ＳＳ（ｍ＋１，ｎ）｝／［｛ｔｅ（ｍ）−ｔｓ（ｍ）｝−｛ｔｅ（ｍ＋１）−ｔｓ（ｍ＋１）｝］
・・・（式８）
と表せる。
【００４３】
ここで、前述の（式１）を用いると、ｋ＝ｍとして、
ｔｅ（ｍ）−ｔｓ（ｍ）＝ｔｅｆｆ（ｍ）＝３／２×ｔＲＯ＋ｔＡＯ、
ｔｅ（ｍ＋１）−ｔｓ（ｍ＋１）＝ｔｅｆｆ（ｍ＋１）＝１／２×ｔＲＯ＋ｔＡＯ
と表せる。よって、上記（式８）より、
ａ（ｍ，ｎ）＝｛ＳＳ（ｍ，ｎ）−ＳＳ（ｍ＋１，ｎ）｝／ｔＲＯ
・・・（式９）
が算出される。
【００４４】
よって、再び（式５）を参照すると、センサｓ（ｍ，ｎ）に残存する電荷に起因するノイズ成分Ｎ１を算出することができる。具体的には、
第ｍ行（奇数行）について、
Ｎ１（ｍ，ｎ）＝｛ＳＳ（ｍ，ｎ）−ＳＳ（ｍ＋１，ｎ）｝×｛３／２×ｔＲＯ＋ｔＡＯ｝／ｔＲＯ
・・・（式１０ａ）
となる。また、
第ｍ＋１行（偶数行）について、
Ｎ１（ｍ＋１，ｎ）＝｛ＳＳ（ｍ，ｎ）−ＳＳ（ｍ＋１，ｎ）｝×｛１／２×ｔＲＯ＋ｔＡＯ｝／ｔＲＯ
・・・（式１０ｂ）
となる。
【００４５】
以上により、信号ＳＳ（ｍ，ｎ）に対して、ノイズ成分Ｎ１（ｍ，ｎ）を除去するための補正を行うことができ、補正後の信号ＳＳ’（ｍ，ｎ）が得られる。補正後の信号ＳＳ’（ｍ，ｎ）は、
ＳＳ’（ｍ，ｎ）＝ＳＳ（ｍ，ｎ）−Ｎ１（ｍ，ｎ）
・・・（式１１）
である。
【００４６】
以上、本実施形態によると、センサｓに残存する電荷に起因するノイズ成分Ｎ１を算出することが可能になり、センサｓからの信号ＳＳに対して、ノイズ成分Ｎ１を除去するための補正を行うことができる。なお、ここでは、第ｍ行が奇数行であり第（ｍ＋１）行が偶数行の場合を例示したが、逆の場合も同様の手順で、定数ａを算出し、ノイズ成分Ｎ１を算出することができる。
【００４７】
ここで、図５を参照しながら、撮像部１０の駆動方法の参考例を述べる。図５（ａ）及び（ｂ）は、参考例における駆動タイミングチャートを、前述の図４と同様に、示している。
【００４８】
図５（ａ）は、第１の参考例を示している。第１の参考例では、各回の放射線の照射に応じて蓄積動作ＡＯを行った後、読出動作ＲＯをプログレッシブ方式で行う。即ち、第１の参考例では、第１行、第２行、第３行、・・・、第Ｘ行を順に選択しながらセンサｓを駆動することによって各読出動作ＲＯを行う。図中において、プログレッシブ方式でセンサｓを駆動する動作を「ＨＰ」と示している。ここで、第１の参考例では、
ｔｅｆｆ（ｋ）＝ｔｅｆｆ（ｋ＋１）＝ｔＲＯ＋ｔＡＯ
となる。そのため、第１の参考例によると、第ｋ行目と第（ｋ＋１）行目とでは、時間ｔｅｆｆに差が実質的に生じない。
【００４９】
図５（ｂ）は、第２の参考例を示している。第２の参考例では、各回の放射線の照射に応じて蓄積動作ＡＯを行った後、読出動作ＲＯをインタレース方式で行う。ここで、第２の参考例では、各読出動作ＲＯを、動作ＨＩＯを行ってから動作ＨＩＥを行っているため、
ｔｅｆｆ（ｋ）＝ｔｅｆｆ（ｋ＋１）＝ｔＲＯ＋ｔＡＯ
となる。そのため、第２の参考例によると、第ｋ行目と第（ｋ＋１）行目とでは、時間ｔｅｆｆに差が実質的に生じない。
【００５０】
これらの参考例によると、隣接行間で時間ｔｅｆｆに差が実質的に生じない。そのため、これらの参考例によると、定数ａ（およびノイズ成分Ｎ１）を算出することが難しいと言える。
【００５１】
一方、本実施形態によると、ある読出動作ＲＯ（あるフレームの信号を取得するための読出動作ＲＯ）と、その次の読出動作ＲＯ（その次のフレームの信号を取得するための読出動作ＲＯ）とを、隣接行間で時間ｔｅｆｆに差が生じるように行う。本実施形態の例では、繰り返し行う読出動作ＲＯを、動作ＨＩＯとＨＩＥとの順番を交互に入れ替えて行う態様を例示した。そして、時間ｔｅｆｆの差に基づいて、補正情報として補正係数（ここでは、ノイズ成分Ｎ１の定数ａ）を算出する。これにより、ノイズ成分Ｎ１を算出することが可能になり、センサｓからの信号ＳＳに対して、ノイズ成分Ｎ１を除去するための補正を行うことができる。
【００５２】
本実施形態において、装置ＩＡは、上述の補正を行うため、各行の時間ｔｅｆｆを計測するための計測部をさらに備えてもよい。該計測部による計測結果は、撮像部１０により得られた画像データと共に、処理部５０に供給される。該計測部は、撮像部１０の内部に設けられてもよいし、制御部４０の内部に設けられてもよい。なお、読出動作ＲＯの動作ＨＩＯと動作ＨＩＥとの順序が決まっている場合には各行の時間ｔｅｆｆを特定することが可能であるため、この場合には計測部は用いられなくてもよい。
【００５３】
本実施形態では、隣接行間での信号値の差分に基づいて補正情報ないし補正係数（ここでは定数ａ）を算出する態様を例示したが、本発明はこの態様に限られるものではない。
【００５４】
例えば、センサアレイ１１０をいくつかの領域Ｒ（不図示）に分割して、各領域Ｒにおける定数ａ（Ｒ）が等しいと仮定して、互いに隣接する２つの領域Ｒ間での信号値の差分から、各領域Ｒについての定数ａ（Ｒ）を算出してもよい。このとき、センサアレイ１１０の領域Ｒへの分割は、２以上の行ごとに為されてもよいし、２以上の列ごとに為されてもよいし、又は、２以上の行および２以上の列の単位領域ごとに為されてもよい。さらには、センサアレイ１１０の全てのセンサｓについて定数ａが等しいと仮定してもよい。即ち、補正情報ないし補正係数は１以上の単位領域Ｒごとに算出されればよく、撮影条件や撮影対象等に応じて領域Ｒの設定を変更することが可能である。
【００５５】
また、ある領域Ｒ内のセンサｓからの信号のそれぞれを用いて、該領域Ｒについての１つの補正情報を決定してもよい。例えば、ある領域Ｒのセンサｓからの信号のそれぞれを用いて得られた複数の算出結果の平均値を補正係数としてもよいし、平均値の代わりに中央値や最頻値を補正係数としてもよい。さらには標準偏差を用いる等、複数の算出結果の統計に基づいて補正係数を算出してもよい。
【００５６】
また、補正情報等を設定する対象は、センサアレイ１１０の上記領域Ｒに限られるものではない。例えば、放射線撮影における所定期間ごと、所定回数の信号読出ＲＯ（所定数のフレーム）ごと等に１つの補正情報を決定して、２以上の画像データを同一の補正情報を用いて補正を行ってもよい。
【００５７】
また、本実施形態では、隣接行のセンサｓの信号との差に基づいて補正情報を算出する態様を例示したが、該算出は、隣接行の双方のセンサｓの信号を用いて為されればよく、それらの平均を用いて為されてもよい。
【００５８】
また、本実施形態では説明を容易にするため、（式２）の簡易なノイズモデルでノイズ成分Ｎ１を考えたが、他のノイズモデルが用いられてもよい。また、暗電流に起因するノイズ成分等、時間依存性を有する他のノイズ成分についても同様に考えればよい。例えば、暗電流に起因するノイズモデルは、定数ｂを用いてβ（ｔ）＝ｂ×ｔ−１で与えられうる。即ち、隣接行間での時間ｔｅｆｆの差に基づいてノイズモデルの定数（定数ａ等）が算出されればよい。
【００５９】
その他、本実施形態では、所定のノイズモデルを想定して定数ａを算出する態様を例示したが、ノイズモデルを用いずに該補正係数を算出することも可能である。図６（ａ）は、読出動作ＲＯとは別に事前に取得された画像データにおける、各行のセンサｓの信号値（画素値）を示しており、横軸はセンサアレイ１１０の行の番号であり、縦軸は該信号値である。図６（ａ）によると、ある行とその隣接行との信号値の平均値ａ０と、該ある行とその隣接行との間での信号値の差分ｄ０と、他の行とその隣接行との信号値の平均値ａ１と、該他の行とその隣接行との間の信号値の差分ｄ１と、が得られる。図６（ｂ）は、上記ａ０、ａ１、ｄ０、及びｄ１に基づくプロット図であり、横軸は隣接行間での信号値の差分（ｄ０〜ｄ１）であり、縦軸は各行における信号の平均値（ａ０〜ａ１）である。図６（ｂ）によると、該平均値と該差分とに基づいて、時間依存性を有するノイズ成分を予想し、その関係式を算出することができる。補正情報ないし補正係数は、この関係式に基づいて算出されてもよい。
【００６０】
（２．        第２実施形態）
前述の第１実施形態では、隣接行間での時間ｔｅｆｆに差が生じるように、各読出動作ＲＯをインタレース方式で行う駆動方式を例示した。具体的には、ある読出動作ＲＯでは、動作ＨＩＯ及びＨＩＥの一方を行ってから他方を行い、その次の読出動作ＲＯでは、該他方を行ってから該一方を行う駆動方式を例示した。しかしながら、本発明はこれらの駆動方式に限られるものではない。
【００６１】
図７は、第２実施形態に係る駆動タイミングチャートを、前述の第１実施形態（図４）と同様に、示している。本実施形態では、読出動作ＲＯが、３行ごとに行が選択されるインタレース方式で為される。より具体的には、本実施形態では、読出動作ＲＯが、３種類の動作ＨＩ１〜ＨＩ３によって為される。動作ＨＩ１では、第１行、第４行、第７行、・・・、第（Ｘ−２）行を順に選択しながらセンサｓを駆動する。動作ＨＩ２では、第２行、第５行、第８行、・・・、第（Ｘ−１）行を順に選択しながらセンサｓを駆動する。動作ＨＩ３では、第３行、第６行、第９行、・・・、第Ｘ行を順に選択しながらセンサｓを駆動する。図７によると、期間Ｔ１の読出動作ＲＯは、動作ＨＩ１、ＨＩ２、ＨＩ３の順に為され、期間Ｔ２の読出動作ＲＯは、動作ＨＩ１、ＨＩ３、ＨＩ２の順に為される。このような駆動方法によっても、隣接行間で時間ｔｅｆｆに差が生じる。
【００６２】
他の観点では、本実施形態では、センサアレイ１１０（配列された複数のセンサｓ）は、行単位で、３つのグループに分割されており、あるグループにおける１つの行は、他のグループの行に隣接している。即ち、センサアレイ１１０は、互いに隣接する２つの行が互いに異なるグループになるように分割されている。そして、読出動作ＲＯは、グループ単位で順に為される。センサアレイ１１０をどのようにグループに分割するかは、制御部４０によって定められればよく、この場合、制御部４０は分割部として機能する。また、制御部４０は、センサアレイ１１０をどのように分割するかを決定する決定部（不図示）を含んでもよい。そして、センサアレイ１１０は、制御部４０からの制御信号等に基づいて、駆動部２０（より具体的には、センサ駆動部１０２）によってグループ単位で駆動されればよい。
【００６３】
図中では、第ｋ行について、ｋ＝３ｊ−２（ｋは１〜Ｘの整数、ｊは１以上の整数）の場合、即ち、ｋを３で除算した場合の剰余が１の場合を示している。この場合、
ｔｅｆｆ（ｋ）＝ｔＲＯ＋ｔＡＯ、
ｔｅｆｆ（ｋ＋１）＝４／３×ｔＲＯ＋ｔＡＯ、
ｔｅｆｆ（ｋ＋２）＝２／３×ｔＲＯ＋ｔＡＯ
・・・（式１２）
となり、隣接行間で時間ｔｅｆｆに差が生じる。
【００６４】
このように、隣接行間で時間ｔｅｆｆに差が生じる各読出動作ＲＯは、動作ＨＩＯ及びＨＩＥの順番を交互に変更するインタレース方式に限られるものではなく、他のインタレース方式によっても同様の効果が得られる。即ち、ある読出動作ＲＯにおいて選択される行の順番と、その次の読出動作ＲＯにおいて選択される行の順番とが、互いに異なることによって、隣接行間で時間ｔｅｆｆに差が生じるように為されればよい。
【００６５】
以上、本実施形態によっても、ある読出動作ＲＯと、その次の読出動作ＲＯとを、隣接行間で時間ｔｅｆｆに差が生じるように行うことができる。そして、第１実施形態と同様の手順で、該時間ｔｅｆｆの差に基づいて、補正情報ないし補正係数を算出することができる。よって、本実施形態によっても、第１実施形態と同様の効果が得られる。
【００６６】
なお、ここでは説明を容易にするため、３行ごとのインタレース方式を例示したが、４行ごとのインタレース方式でもよいし、それ以上でもよい。また、Ｘは３の倍数でなくてもよい。また、その他のパラメータも、ここで例示された数量に限られるものではない。
【００６７】
（３．        第３実施形態）
前述の第１および第２実施形態では、隣接行間での時間ｔｅｆｆに差が生じるように、各読出動作ＲＯをインタレース方式で行う駆動方式を例示した。しかしながら、本発明はこれらの駆動方式に限られるものではない。
【００６８】
図８は、第３実施形態に係る駆動タイミングチャートを、前述の第１実施形態（図４）と同様に、示している。第１実施形態との関係では、本実施形態は、主に、期間Ｔ１の読出動作ＲＯをプログレッシブ方式（動作ＨＰ）で行い、期間Ｔ２の読出動作ＲＯをインタレース方式（動作ＨＩＯ及びＨＩＥ）で行っている、という点で異なる。また、前述の第２実施形態との関係では、本実施形態は、主に、期間Ｔ１ではセンサアレイ１１０のグループへの分割を行わずに読出動作ＲＯを行い、期間Ｔ２では該分割を行って読出駆動ＲＯを行う、という点で異なる。
【００６９】
図中では、第ｋ行が奇数行の場合を例示している。第ｋ行が奇数行の場合、
ｔｅｆｆ（ｋ）＝｛１−（ｋ−１）／２Ｘ｝×ｔＲＯ＋ｔＡＯ、
ｔｅｆｆ（ｋ＋１）＝｛３／２−ｋ／２Ｘ｝×ｔＲＯ＋ｔＡＯ
・・・（式１３）
となり、隣接行間で時間ｔｅｆｆに差が生じる。なお、ここでは、第ｋ行が奇数行の場合を例示したが、第ｋ行が偶数行の場合も同様の手順で、定数ａを算出してノイズ成分Ｎ１を算出することができる。
【００７０】
このように、隣接行間で時間ｔｅｆｆに差が生じる各読出動作ＲＯは、インタレース方式に限られるものではなく、インタレース方式とプログレッシブ方式とを交互に行うことによっても同様の効果が得られる。即ち、ある読出動作ＲＯにおいて選択される行の順番と、その次の読出動作ＲＯにおいて選択される行の順番とが、互いに異なることによって、隣接行間で時間ｔｅｆｆに差が生じるように為されればよい。
【００７１】
以上、本実施形態によっても、該時間ｔｅｆｆの差に基づいて、補正情報ないし補正係数を算出することができる。よって、本実施形態によっても、第１実施形態等と同様の効果が得られる。
【００７２】
（４．        第４実施形態）
第４実施形態では、前述のノイズ成分Ｎ１を除去するための補正に加えて、ノイズ成分Ｎ２を除去する補正がさらに為される。前述の通り、ノイズ成分Ｎ２は、ＦＰＮに起因するノイズ成分等、時間依存性を有しないノイズ成分である。この補正は、例えば、放射線撮影を開始する前や後等に、放射線が装置ＩＡに照射されていない状態で第２の読出動作ＲＯ２を行い、該第２の読出動作ＲＯ２によって得られた画像データに基づいて為されうる。第２の読出動作ＲＯ２は、前述の読出動作ＲＯと同様の駆動方法によって為されうるが、放射線が装置ＩＡに照射されていない状態で為される。
【００７３】
以下、読出動作ＲＯで得られる第ｍ行かつ第ｎ列のセンサｓ（ｍ，ｎ）からの信号を信号ＳＳ１（ｍ，ｎ）とする。また、これに対応する成分Ｓ０、Ｎ１等をＳ０１（ｍ，ｎ）、Ｎ１１（ｍ，ｎ）等とする。このとき、信号ＳＳ１（ｍ，ｎ）は、
ＳＳ１（ｍ，ｎ）
＝Ｓ０１（ｍ，ｎ）＋Ｎ１１（ｍ，ｎ）＋Ｎ２１（ｍ，ｎ）
＝ａ（ｍ，ｎ）×｛ｔ１ｅ（ｍ）−ｔ１ｓ（ｍ）｝＋Ｓ０１（ｍ，ｎ）＋Ｎ２１（ｍ，ｎ）
・・・（式１４）
と表せる。
【００７４】
また、読出動作ＲＯ２で得られる第ｍ行かつ第ｎ列のセンサｓ（ｍ，ｎ）からの信号を信号ＳＳ２（ｍ，ｎ）とする。また、これに対応する成分Ｓ０、Ｎ１等をＳ０２（ｍ，ｎ）、Ｎ１２（ｍ，ｎ）等とする。このとき、信号ＳＳ２（ｍ，ｎ）は、
ＳＳ２（ｍ，ｎ）
＝Ｎ１２（ｍ，ｎ）＋Ｎ２２（ｍ，ｎ）
＝ａ（ｍ，ｎ）×｛ｔ２ｅ（ｍ）−ｔ２ｓ（ｍ）｝＋Ｎ２２（ｍ，ｎ）
・・・（式１５）
と表せる。
【００７５】
読出動作ＲＯで得られた信号に対して読出動作ＲＯ２で得られた信号に基づいて補正して得られた信号ＳＳＣ（ｍ，ｎ）は、
ＳＳＣ（ｍ，ｎ）
≡ＳＳ１（ｍ，ｎ）−ＳＳ２（ｍ，ｎ）
＝｛Ｓ０１（ｍ，ｎ）＋Ｎ１１（ｍ，ｎ）＋Ｎ２１（ｍ，ｎ）｝−｛Ｎ１２（ｍ，ｎ）＋Ｎ２２（ｍ，ｎ）｝
＝Ｓ０１（ｍ，ｎ）＋ａ（ｍ，ｎ）×［｛ｔ１ｅ（ｍ）−ｔ１ｓ（ｍ）｝−｛ｔ２ｅ（ｍ）−ｔ２ｓ（ｍ）｝］
・・・（式１６）
と表せる。
【００７６】
ここで、
Ｎ２１（ｍ，ｎ）≒Ｎ２２（ｍ，ｎ）
・・・（式１７）
である。
【００７７】
その後、補正された信号ＳＳＣ（ｍ、ｎ）について、前述のノイズ成分Ｎ１を除去するための補正が、前述の各実施形態と同様に為されればよい。
【００７８】
即ち、本実施形態では、ノイズ成分Ｎ２を除去する補正を行い、該補正で得られた画像データについて、隣接行間での時間ｔｅｆｆの差を用いてノイズ成分Ｎ１を除去するための補正を行う。本実施形態によると、前述の第１実施形態等と同様の効果が得られる他、ＦＰＮ等に起因するノイズ成分Ｎ２をさらに除去することが可能である。
【００７９】
（５．        第５実施形態）
前述の第１実施形態では、隣接行間で信号成分Ｓ０は、信号成分の変化の小さい領域（例えば、画像において輪郭を形成する部分以外の領域）では互いに略等しい、ことを述べた。この場合、第ｍ行かつ第ｎ列のセンサｓ（ｍ、ｎ）での信号成分Ｓ０（ｍ、ｎ）と、第（ｍ＋１）行かつ第ｎ列のセンサｓ（ｍ＋１、ｎ）での信号成分Ｓ０（ｍ＋１、ｎ）とでは、Ｓ０（ｍ、ｎ）≒Ｓ０（ｍ＋１、ｎ）が成り立つ。第１実施形態では、これに基づいて、処理部５０の算出部５２は、隣接行間での信号値の差から、ノイズ成分Ｎ１を除去するための補正係数を算出した。
【００８０】
しかしながら、被検者の放射線撮影により得られた放射線画像において、輪郭を形成する部分では信号成分の変化が大きいため、Ｓ０（ｍ、ｎ）≠Ｓ０（ｍ＋１、ｎ）となる。よって、補正係数が、算出部５２による算出方法によって、適切に得られない。この場合、補正部５１は、算出部５２からの算出結果が所定条件を満たさないときには、該算出結果を補正係数として採用しない、又は、補正処理を省略することができる。
【００８１】
図９（ａ）は、センサｓの信号値の上記輪郭部分での拡大プロット図である。図中において、横軸はセンサアレイ１１０の列の番号であり、縦軸は該信号値である。図中のプロットは、黒丸のプロットは、第ｋ行の各センサｓからの信号値を示しており、白丸のプロットは、第ｋ＋１行の各センサｓからの信号値を示している。図９（ａ）は、第ｙ１列より後の列では、第ｙ１列より前の列よりも、センサｓが検出した放射線量が大きく、信号値が大きくなっていることを示している。
【００８２】
図９（ｂ）は、センサｓの信号値の隣接列間での差分をひし形のプロットで示したプロット図である。図９（ｂ）によると、第ｙ１列より後の列では第ｙ１列より前の列よりも信号値が大きくなっているため、第ｙ１列で、プロット値が特異的に大きくなっている。
【００８３】
ここで、処理部５０は、例えば、上記差分のプロット値が所定値よりも小さいか否かを判定する判定部（不図示）をさらに備えていてもよい。該プロット値が所定値よりも大きい場合には、該プロット値は補正係数の算出に用いられなくてもよいし、または、その部分については補正処理が省略されてもよい。
【００８４】
ここでは、センサｓの信号値の隣接列間での差分が所定値よりも小さいか否かを判定する態様を例示したが、該判定は、算出結果の統計に基づいて為されてもよい。例えば、上記判定部は、信号値の隣接列間での差分のばらつき量が所定値よりも小さいか否か（例えば、中央値からのばらつきの標準偏差をσとして、算出された差分が±３σよりも小さいか否か）を判定してもよい。
【００８５】
以上、本実施形態によると、処理部５０の補正部５１は、算出部５２からの算出結果が所定条件を満たさない場合には、該算出結果を補正係数として採用しない、又は、補正処理を省略することができる。よって、本実施形態によると、ノイズ成分Ｎ１を除去するための補正を、画像データのうちの適切な部分に対して選択的に行うことができる。なお、図９では、センサアレイ１１０の列方向で信号値が大きく変化する場合を例示したが、行方向の場合についても同様に考えればよい。
【００８６】
（６．        その他）
以上、いくつかの好適な実施形態を述べたが、本発明はこれらに限られるものではなく、目的等に応じて、その一部を変更してもよいし、各実施形態を組み合わせてもよい。
【００８７】
また、本発明は、上述の各実施形態は、プログラムないしソフトウェアをコンピュータにより実行することによっても為されうる。具体的には、例えば、上述の各実施形態の機能を実現するプログラムが、ネットワーク又は各種記憶媒体を介して、システムないし装置に供給される。システムないし装置のコンピュータ（またはＣＰＵやＭＰＵ等）は、その後、該プログラムを読み出して実行する。
【符号の説明】
【００８８】
ＩＡ：放射線撮像装置、１０：撮像部、２０：駆動部、５０：処理部、５１：補正部、５２：算出部、１１０：センサアレイ、１２０：センサ駆動部、１３０：信号読出部、ＡＯ：蓄積動作、ＲＯ：読出動作。
【図１】
2015216424.tif 000003
【図２】
2015216424.tif 000004
【図３】
2015216424.tif 000005
【図４】
2015216424.tif 000006
【図５】
2015216424.tif 000007
【図６】
2015216424.tif 000008
【図７】
2015216424.tif 000009
【図８】
2015216424.tif 000010
【図９】
2015216424.tif 000011